(57)【要約】【課題】  パイプ切断に際してパイプの保持固定作業が容易であり、パイプの巻きぐせに拘らず、管軸に直交して精度よく切断することのできる、作業性及び汎用性のいずれにも優れたパイプカッターを提供する。【解決手段】  このパイプカッター１では、一方のレバーハンドル１２の先端側に、パイプ２の受部１３を設ける。他方のレバーハンドル１４の先端側には、前記パイプ２を切断可能な切刃１５と、前記受部１３との間にパイプ２を固定しうる押え部材１６とを設ける。そして、この押え部材１６とレバーハンドル１４との間にはトーションバネ１７を介装し、押え部材１６が受部１３に近接する方向に付勢されてパイプ２を挟持しつつパイプ２を切断可能としている。【選択図】  図１
2005087642.tif 000002
【特許請求の範囲】
【請求項１】
一対のレバーハンドルが軸により開閉回動可能に連結され、一方のレバーハンドルの先端側にはパイプの受部が設けられるとともに、他方のレバーハンドルの先端側には、前記パイプを切断可能な切刃と、前記受部との間にパイプを固定しうる押え部材とが設けられ、
この押え部材と該レバーハンドルとの間にはバネが介装され、押え部材が前記受部に近接する方向に付勢されてパイプを挟持しつつパイプを切断可能とされたことを特徴とするパイプカッター。
【請求項２】
前記バネはトーションバネで構成され、切刃は、押え部材と受部によりパイプが挟持された位置からさらに進入しうることを特徴とする請求項１に記載のパイプカッター。
【請求項３】
押え部材は切刃の片側もしくは両側にそれぞれ備えられたことを特徴とする請求項１又は請求項２に記載のパイプカッター。
【請求項４】
受部は前記一方のレバーハンドルに略Ｖ字状に凹設されたことを特徴とする請求項１〜３のいずれかに記載のパイプカッター。
【発明の詳細な説明】
【技術分野】
【０００１】
この発明は、パイプを精度よく切断するためのパイプカッターに関する。
【背景技術】
【０００２】
従来から、給排水管等の配管を切断するのに、いわゆるフレキカッターや塩ビカッターといったパイプ切断治具が用いられてきた。これらの切断治具はいずれも、パイプの受部と、該パイプを切断する刃部を備えて構成され、パイプを受部に固定するための機構は設けられていなかった。
【０００３】
そのため、パイプの切断時には、受部に載置したパイプの位置がずれたり、傾いてしまったりすることがあり、パイプの切断面も所定位置からずれて、斜めになってしまうなど、施工不良の原因を生じるおそれがあった。
【０００４】
かかる問題点に対し、例えば特許文献１には、パイプの受部を備えた上方の把手と、パイプの切断刃を備えた下方の把手とがハサミ状に枢着され、受部の先端に係脱してパイプを保持することのできる管拘束部材が、下方の把手に設けられた構成のパイプカッターが記載されている。パイプの切断時には、この管拘束部材を受部の先端に係止させて、管拘束部材と受部とによりパイプを保持させるものである。
【０００５】
また、特許文献２には、パイプを保持する受部の側面にパイプホルダーを設けたパイプカッターが提案されている。このパイプホルダーは、「く」字状に形成された折曲片からなり、パイプの下方外周面に当接して保持しうるように構成されている。
【特許文献１】実開昭５７−１０３０６５号公報
【特許文献２】特開平９−２１５８７５号公報
【発明の開示】
【発明が解決しようとする課題】
【０００６】
前記特許文献１に記載のパイプカッターでは、パイプを保持する管拘束部材を受部の先端に手で係止させなければならないため、パイプの着脱に手間がかかり、作業性に劣っていた。加えて、このパイプカッターにおいて、管拘束部材と受部との間に保持することのできるパイプの管径は限定されるため、汎用性にも乏しかった。
【０００７】
また、前記特許文献２に記載のパイプカッターでは、パイプホルダーによってパイプの下方からパイプを保持するだけであるので、パイプを十分に固定することができないと考えられる。
【０００８】
特に、これらのパイプカッターによって切断するパイプの多くは架橋ポリエチレン管やポリブデン管であって、把に巻かれた状態で保管されている。したがって、切断時にはパイプに巻きぐせを生じている場合があり、曲がった状態のパイプを切断しなければならないため、前記従来のパイプカッターでは管軸に直交してパイプに刃を進入させ、パイプを直角に切断することがやはり困難となる。
【０００９】
本発明は以上のような事情にかんがみて、パイプ切断に際してパイプの保持固定作業が容易であり、パイプの巻きぐせに拘らず、管軸に直交して精度よく切断することのできる、作業性及び汎用性のいずれにも優れたパイプカッターを提供することを目的とする。
【課題を解決するための手段】
【００１０】
前記の課題を解決するため、本発明に係るパイプカッターは、一対のレバーハンドルが軸により開閉回動可能に連結されて、一方のレバーハンドルの先端側にはパイプの受部が設けられるとともに、他方のレバーハンドルの先端側には、前記パイプを切断可能な切刃と、前記受部との間にパイプを固定しうる押え部材とが設けられている。そして、この押え部材と該レバーハンドルとの間にはバネが介装され、押え部材が前記受部に近接する方向に付勢されてパイプを挟持しつつパイプを切断可能とされたことを特徴としている。
【００１１】
これにより、パイプの切断時には、両レバーハンドルを近接させる操作に伴って、押え部材が切刃と連動して受部に近接する。すなわち、切刃とともに受部に近接した押え部材が、受部に載置されたパイプを自ずと挟持して受部に固定し、ずれや傾きを生じることなく切断することができる。
【００１２】
より具体的には、本発明に係るパイプカッターにおいて前記バネは、トーションバネで構成され、切刃が、押え部材と受部によりパイプが挟持された位置からさらに進入しうることを特徴としている。
【００１３】
これにより、切刃がパイプを切断するにつれて、押え部材は受部との間でより強固にパイプを固定することとなり、切断荷重が作用しても安定してパイプを保持したまま切断することができる。
【００１４】
また、本発明に係るパイプカッターにおいて、押え部材は切刃の片側もしくは両側にそれぞれ備えられていることを特徴とする。これにより、切断するパイプに巻きぐせを生じていても、その巻きぐせを押え部材によって押さえて、矯正しつつ切断することができる。
【００１５】
さらに、本発明は前記パイプカッターにおいて、受部が前記一方のレバーハンドルに略Ｖ字状に凹設されたことを特徴とする。これにより、直径の異なる種々のパイプを受部に固定することができる。
【発明の効果】
【００１６】
本発明に係るパイプカッターは、パイプの受部と押え部材の間にパイプを固定し、この押え部材がトーションバネ等のバネ材を介してレバーハンドルに連結されているので、押え部材が前記受部に近接する方向に付勢されてパイプを挟持しつつパイプを切断することができる。したがって、パイプの切断操作に伴って押え部材をパイプに近接させ、受部との間でパイプを挟持させることができるので、パイプの保持固定作業はきわめて容易であり、切断の進行とともにより強固にパイプを固定されて、作業性を格段に高めることができる。
【００１７】
また、かかる押え部材が切刃の片側もしくは両側に備えられているので、切断するパイプに巻きぐせを生じていても、その巻きぐせを矯正しつつ安定してパイプを保持し、管軸に直交して精度よく切断することが可能となる。
【００１８】
さらに、受部が略Ｖ字状に凹設されているので、直径の異なる種々のパイプに対応でき、汎用性に富むものとすることができる。
【発明を実施するための最良の形態】
【００１９】
以下、本発明に係るパイプカッターの実施の形態について、図面を参照しつつ説明する。
【００２０】
図１から図３は本発明に係るパイプカッターの実施例の一つを示し、図１はパイプカッ
ターの側面図、図２はパイプカッターの斜視図、図３はパイプカッターの分解斜視図である。
【００２１】
このパイプカッター１により切断されるパイプ２は、図中破線により示され、例えば架橋ポリエチレン、ポリブテン等の合成樹脂系材料により円筒状に形成されている。パイプカッター１は、一対のレバーハンドル１２，１４を備えている。
【００２２】
レバーハンドル１２は、基端側の把持部１２１が下方に開口した断面溝形状に形成されて、他方のレバーハンドル１４をこの把持部１２１の内側に収納可能とされている。
【００２３】
このレバーハンドル１２には、切断するパイプ２を保持しうるように受部１３が一体に設けられている。受部１３は、レバーハンドル１２の先端側が幅広に形成されて、側面視略Ｖ字状に凹設されている。この受部１３は、レバーハンドル１２の軸方向にスリット１３ａを備え、他方のレバーハンドル１４に備えられた切刃１５を、受部１３の底部まで挿入可能に構成されている。
【００２４】
また、レバーハンドル１２には、この受部１３と把持部１２１との間に、両レバーハンドル１２，１４を連結するための連結孔部１２２が上下方向に貫通して設けられている。
【００２５】
他方のレバーハンドル１４には、受部１３に保持されたパイプ２を切断する切刃１５が備えられている。切刃１５は、レバーハンドル１４の先端側の連結部１４２に取着されている。この切刃１５の両側部には、側面の大きさが切刃１５よりもやや小さく形成された押え部材１６がそれぞれ設けられている。
【００２６】
各押え部材１６は、基端側が偏平形状で接続孔１６１を接続凹部１６２の内側に有し、レバーハンドル１４の連結部１４２に枢着されるように形成されている。押え部材１６の先端側はパイプ２の外周面に沿うように底面が丸みをもって形成され、受部１３との間にパイプ２を挟み込むことができるようになっている。
【００２７】
例示の形態では、レバーハンドル１４の連結部１４２の側面上方に、バネ用接続孔１４３が偏心して設けられている。また、押え部材１６と連結部１４２との間には、トーションバネ１７及びスペーサ１８が介装されている。トーションバネ１７は、バネが円筒状に巻回されてなり、その両端部が回動軸１１に沿って相反する方向に延設されて荷重を受けるように構成されている。
【００２８】
トーションバネ１７の一端はバネ用接続孔１４３に接続され、トーションバネ１７の他端は、円盤状のスペーサ１８を接続凹部１６２内に介して押え部材１６の接続孔１６１に接続されている。これによって、各押え部材１６とレバーハンドル１４とが枢着されている。なお、このスペーサ１８は押え部材１６の接続凹部１６２内に一体に形成されていてもよい。
【００２９】
このように構成されるレバーハンドル１４は、レバーハンドル１２の連結孔部１２２に挿通されて、切刃１５を連結孔部１２２の上方へ突出させている。そして、レバーハンドル１２の連結孔部１２２、各押え部材１６、及びレバーハンドル１４の連結部１４２が、連結孔部１２２の外側から軸孔１１１を介して回動軸１１により回動可能に連結されている。これにより、両レバーハンドル１２，１４は、互いに近接又は離反方向に開閉回動可能とされて、ハサミ状の構成を有するものとなっている。また、連結されたレバーハンドル１２，１４の開閉に連動して、各押え部材１６も同様に開閉しうるものとなっている。
【００３０】
かかるパイプカッター１によりパイプ２を切断するときには、まずパイプ２をレバーハ
ンドル１２の受部１３に載置する。そして、両レバーハンドル１２，１４の各把持部１２１，１４１を握り、各レバーハンドル１２，１４の先端側を近接させる。このとき、各押え部材１６はともに、受部１３に載置されたパイプ２の上部外周面に当接して、受部１３との間にパイプ２を固定する。
【００３１】
さらにレバーハンドル１２，１４を握り、両者を近接させると、切刃１５がパイプ２の上部外周面に進入してパイプ２を切断するとともに、トーションバネ１７の作用によって各押え部材１６が受部１３に近接する方向に付勢されて、パイプ２を挟持する。例示の形態では、押え部材１６が切刃１５の両側部に設けられているので、パイプ２を切断面の両側から固定することができ、切断操作によってもパイプ２がずれることがなく、安定して挟持することができる。
【００３２】
また、かかるパイプカッターにより切断するパイプ２は、図示するように多様な直径のものが可能である。いずれの大きさのパイプ２であっても、押え部材１６と受部１３によって上下方向からパイプ２を挟持固定しつつ切断することができる。
【００３３】
図４は、前記パイプカッター１の変形例を示す側面図である。このパイプカッター１０は、レバーハンドル１４に備えられた切刃１５が、切刃１５の両側部の各押え部材１６によって隠れるように形成されている。この場合、切刃１５と押え部材１６の各側面は、ほぼ同程度の大きさを有しており、受部１３に載置されたパイプ２をより安定的に挟持固定することができるとともに、切刃１５が露出していないので、より安全にパイプ２を切断することができる。
【００３４】
以上説明したように、本発明にかかるパイプカッターは、パイプの切断操作に伴って押え部材がパイプに近接し、受部との間でパイプを挟持させることができるので、多様な直径のパイプの切断を、精度よく、きわめて容易に行うことができ、作業性を格段に高めることが可能となる。なお、パイプカッターの押え部材１６は、前記の形態では切刃１５の両側に設けられているが、本発明はこれに限られず、切刃１５の片側だけに設けられてもよく、パイプの巻きぐせを矯正しつつ保持して切断することができる。
【図面の簡単な説明】
【００３５】
【図１】本発明に係るパイプカッターの側面図である。
【図２】本発明に係るパイプカッターの斜視図である。
【図３】本発明に係るパイプカッターの分解斜視図である。
【図４】本発明に係るパイプカッターの側面図である。
【符号の説明】
【００３６】
１      パイプカッター
１１    回動軸
１２    レバーハンドル
１２１  把持部
１２２  連結孔部
１３    受部
１３ａ  スリット
１４    レバーハンドル
１４１  把持部
１４２  連結部
１４３  バネ接続用孔
１５    切刃
１６    押え部材
１６１  接続孔
１６２  接続凹部
１７    トーションバネ
１８    スペーサ
２      パイプ
【図１】
2005087642.tif 000003
【図２】
2005087642.tif 000004
【図３】
2005087642.tif 000005
【図４】
2005087642.tif 000006